(57)【要約】【課題】電子機器におけるＲＦＩＤの使用の融通性を向上させる。【解決手段】ＲＦＩＤ技術により通信相手から処理すべきデータを取得するステップと、ユーザが入力装置を通じて行った第１の入力操作を取得するステップと、複数の入力操作と制御コマンドが対応付けて記録されている予め設定された第１の対応関係に基づいて、第１の入力操作と対応する第１の制御コマンドを決定するステップと、当該第１の制御コマンドを実行して、処理すべきデータを処理するように第１の電子機器を制御するステップとを含む、ＲＦＩＤ伝送を支援する第１の電子機器に用いられるインタラクション処理方法、装置および電子機器を提供する。【選択図】図１
2015535967.tif 000002
【特許請求の範囲】
【請求項１】
ＲＦＩＤ伝送を支援する第１の電子機器に用いられるインタラクション処理方法において、
ＲＦＩＤ技術により通信相手から処理すべきデータを取得するステップと、
ユーザが入力装置を通じて行った第１の入力操作を取得するステップと、
複数の入力操作と制御コマンドが対応付けて記録されている予め設定された第１の対応関係に基づいて、前記第１の入力操作と対応する第１の制御コマンドを決定するステップと、
前記第１の制御コマンドを実行して、前記処理すべきデータを処理するように前記第１の電子機器を制御するステップとを含むことを特徴とするインタラクション処理方法。
【請求項２】
前記通信相手は、ＲＦＩＤ伝送を支援する第２の電子機器、またはＲＦＩＤタグであることを特徴とする請求項１に記載のインタラクション処理方法。
【請求項３】
前記通信相手がＲＦＩＤ伝送を支援する第２の電子機器である場合、前記第１の入力操作は、
ユーザが前記第１の電子機器上の入力装置を通じて行った入力操作、及び／又は、
ＲＦＩＤ技術により前記第２の電子機器から受信された、ユーザが前記第２の電子機器上の入力装置を通じて行った入力操作を含むことを特徴とする請求項２に記載のインタラクション処理方法。
【請求項４】
前記第１の入力操作が、ＲＦＩＤ技術により前記第２の電子機器から受信された、ユーザが前記第２の電子機器上の入力装置を通じて行った入力操作である場合、前記第１の対応関係は、ＲＦＩＤ技術により前記第２の電子機器から受信される対応関係であることを特徴とする請求項３に記載のインタラクション処理方法。
【請求項５】
ＲＦＩＤ伝送を支援する第３の電子機器に用いられるインタラクション処理方法において、
ＲＦＩＤ技術により第４の電子機器からユーザが前記第４の電子機器上の入力装置を通じて行った入力操作である第２の入力操作を受信するステップと、
複数の入力操作と制御コマンドが記録されている予め設定された第２の対応関係に基づいて、前記第２の入力操作と対応する第２の制御コマンドを決定するステップと、
前記第２の制御コマンドを実行して、前記第３の電子機器を制御するステップとを含むことを特徴とするインタラクション処理方法。
【請求項６】
前記第２の対応関係は、ＲＦＩＤ技術により第２の電子機器から受信された対応関係である請求項５に記載のインタラクション処理方法。
【請求項７】
ＲＦＩＤ伝送を支援する第１の電子機器に用いられるインタラクション処理装置において、
ＲＦＩＤ技術により通信相手から処理すべきデータを取得するデータ取得モジュールと、
ユーザが入力装置を通じて行った第１の入力操作を取得する入力操作取得モジュールと、
複数の入力操作と制御コマンドが対応付けて記録されている予め設定された第１の対応関係に基づいて、前記第１の入力操作と対応する第１の制御コマンドを決定する第１のコマンド決定モジュールと、
前記第１の制御コマンドを実行して、前記処理すべきデータを処理するように前記第１の電子機器を制御する第１の実行モジュールとを備えることを特徴とするインタラクション処理装置。
【請求項８】
前記通信相手は、ＲＦＩＤ伝送を支援する第２の電子機器、またはＲＦＩＤタグであることを特徴とする請求項７に記載のインタラクション処理装置。
【請求項９】
前記通信相手がＲＦＩＤ伝送を支援する第２の電子機器である場合、前記第１の入力操作は、
ユーザが前記第１の電子機器上の入力装置を通じて行った入力操作、及び／又は、
ＲＦＩＤ技術により前記第２の電子機器から受信された、ユーザが前記第２の電子機器上の入力装置を通じて行った入力操作を含むことを特徴とする請求項７に記載のインタラクション処理装置。
【請求項１０】
前記第１の入力操作が、ＲＦＩＤ技術により前記第２の電子機器から受信された、ユーザが前記第２の電子機器上の入力装置を通じて行った入力操作である場合、前記第１の対応関係は、ＲＦＩＤ技術により前記第２の電子機器から受信される対応関係であることを特徴とする請求項９に記載のインタラクション処理装置。
【請求項１１】
ＲＦＩＤ伝送を支援し、請求項７〜１０のいずれかに記載のインタラクション処理装置を備えることを特徴とする第１の電子機器。
【請求項１２】
ＲＦＩＤ伝送を支援する第３の電子機器に用いられるインタラクション処理装置において、
ＲＦＩＤ技術により第４の電子機器からユーザが前記第４の電子機器上の入力装置を通じて行った入力操作である第２の入力操作を受信する受信モジュールと、
複数の入力操作と制御コマンドが記録されている予め設定された第２の対応関係に基づいて、前記第２の入力操作と対応する第２の制御コマンドを決定する第２のコマンド決定モジュールと、
前記第２の制御コマンドを実行して、前記第３の電子機器を制御する第２の実行モジュールとを備えることを特徴とするインタラクション処理装置。
【請求項１３】
前記第２の対応関係は、ＲＦＩＤ技術により第２の電子機器から受信された対応関係である請求項１２に記載のインタラクション処理装置。
【請求項１４】
ＲＦＩＤ伝送を支援し、請求項１２または１３に記載のインタラクション処理装置を備えることを特徴とする第３の電子機器。
【発明の詳細な説明】
【技術分野】
【０００１】
本発明は、ＲＦＩＤ（Ｒａｄｉｏ  Ｆｒｅｑｕｅｎｃｙ  Ｉｄｅｎｔｉｆｉｃａｔｉｏｎ）技術に関し、特にインタラクション処理方法、装置および電子機器に関するものである。
【背景技術】
【０００２】
ＲＦＩＤ技術は、空間電磁誘導或いは電磁伝送による通信を基本的な原理として、標識される対象を自動識別する目的を達する非接触式自動識別技術である。
【０００３】
通常、ＲＦＩＤリーダが送信する周波数は、ＲＦＩＤシステムの動作周波数またはキャリア周波数と称される。ＲＦＩＤ動作周波数は、低周波数（３０ｋＨｚ〜３００ｋＨｚ）と、高周波数（３ＭＨｚ〜３０ＭＨｚ）と、超高周波数（３００ＭＨｚ〜９６８ＭＨｚ）と、マイクロ波（１ＧＨｚ以上）との４つの範囲を含む。
【０００４】
現在、より多くの電子機器は、ＲＦＩＤ技術の利用を開始しており、１３．５６ＭＨｚ（公共交通ＩＣカードが使用する周波数帯をそのまま用いる）と２．４ＧＨｚとの２つの周波数帯を用いるものが多く、そのうち広く応用されているのは、通常１ｃｍ〜１０ｃｍの範囲で作用する１３．５６ＭＨｚという周波数であり、デュアル．インターフェース．カード（Ｄｕａｌ  Ｉｎｔｅｒｆａｃｅ  Ｃａｒｄ）、近距離無線通信（Ｎｅａｒ  Ｆｉｅｌｄ  Ｃｏｍｍｕｎｉｃａｔｉｏｎ、「ＮＦＣ」と略称する）、強化型近距離無線通信ＥＮＦＣ、スマート．モバイル．アプリケーション．プラットフォーム（Ｓｍａｒｔ  Ｍｏｂｉｌｅ  Ａｐｐｌｉｃａｔｉｏｎ  Ｐｌａｔｆｏｒｍ、「ＳＭＡＰ」と略称する）などの複数の方案があり、まとめてＮＦＣと言われる。
【０００５】
ＮＦＣは、モノのインターネット（Ｉｎｔｅｒｎｅｔ  ｏｆ  ｔｈｉｎｇｓ）の標準化進展と商用化進展の加速に伴い、より広い市場で適用されており、公共交通や学校の移動支援型サービスから生活のあらゆる面に広がっており、ＮＦＣの普及速度がスマート端末の迅速な発展によりさらに加速されている。ＮＦＣは、ＮＦＣフォラム、ヨーロッパ・コンピュータ製造業者協会（Ｅｕｒｏｐｅａｎ  Ｃｏｍｐｕｔｅｒ  Ｍａｎｕｆａｃｔｕｒｅｓ  Ａｓｓｏｃｉａｔｉｏｎ、「ＥＣＭＡ」と略称する）、欧州電気通信標準化機構（Ｅｕｒｏｐｅａｎ  Ｔｅｌｅｃｏｍｍｕｎｉｃａｔｉｏｎ  Ｓｔａｎｄａｒｄ  Ｉｎｓｔｉｔｕｔｉｏｎ、「ＥＴＳＩ」と略称する）、国際標準化組織（Ｉｎｔｅｒｎａｔｉｏｎａｌ  Ｓｔａｎｄａｒｄｉｚａｔｉｏｎ  Ｏｒｇａｎｉｚａｔｉｏｎ、「ＩＳＯ」と略称する）／国際電気標準会議（Ｉｎｔｅｒｎａｔｉｏｎａｌ  Ｅｌｅｃｔｒｏｔｅｃｈｎｉｃａｌ  Ｃｏｍｍｉｓｓｉｏｎ、「ＩＥＣ」と略称する）などの標準化組織とプロトコルにより標準化され、各国において複数の事業者により広く商用され、モノのインターネットの商用化の先駆けとして普通に認められている。
【０００６】
ＮＦＣは、移動支払い、勤怠、アクセス制御用などのシステムに通常用いられるカード．エミュレーション．モード（Ｃａｒｄ  Ｅｍｕｌａｔｉｏｎ  Ｍｏｄｅ）と、ＲＦＩＤ付きのポスターや商品などの読み取りに用いられるリーダ．モード（Ｒｅａｄｅｒ  Ｍｏｄｅ）と、それを支援する２つの端末間でのデータのインタラクション式伝送に用いられるＰ２Ｐモード（Ｐｅｅｒ  Ｔｏ  Ｐｅｅｒ  Ｍｏｄｅ）との３つの動作モードを有する。
【０００７】
しかしながら、ＲＦＩＤ機能を有する従来の端末は、サービスモードが単一で、融通性がない。
【発明の開示】
【発明が解決しようとする課題】
【０００８】
本発明の実施例は、ＲＦＩＤ機能を有する端末におけるＲＦＩＤ使用時の融通性を向上させるインタラクション処理方法、装置および電子機器を提供することを目的とする。
【課題を解決するための手段】
【０００９】
本発明の実施例は、上記目的を実現するために、ＲＦＩＤ伝送を支援する第１の電子機器に用いられるインタラクション処理方法において、ＲＦＩＤ技術により通信相手から処理すべきデータを取得するステップと、ユーザが入力装置を通じて行った第１の入力操作を取得するステップと、複数の入力操作と制御コマンドが対応付けて記録されている予め設定された第１の対応関係に基づいて、前記第１の入力操作と対応する第１の制御コマンドを決定するステップと、前記第１の制御コマンドを実行して、前記処理すべきデータを処理するように前記第１の電子機器を制御するステップとを含むインタラクション処理方法を提供する。
【００１０】
上記インタラクション処理方法において、前記通信相手は、ＲＦＩＤ伝送を支援する第２の電子機器、またはＲＦＩＤタグである。
【００１１】
上記インタラクション処理方法において、前記通信相手がＲＦＩＤ伝送を支援する第２の電子機器である場合、前記第１の入力操作は、ユーザが前記第１の電子機器上の入力装置を通じて行った入力操作、及び／又は、ＲＦＩＤ技術により前記第２の電子機器から受信された、ユーザが前記第２の電子機器上の入力装置を通じて行った入力操作を含む。
【００１２】
上記インタラクション処理方法において、前記第１の入力操作が、ＲＦＩＤ技術により前記第２の電子機器から受信された、ユーザが前記第２の電子機器上の入力装置を通じて行った入力操作である場合、前記第１の対応関係は、ＲＦＩＤ技術により前記第２の電子機器から受信される対応関係である。
【００１３】
本発明の実施例は、上記目的を実現するために、ＲＦＩＤ伝送を支援する第３の電子機器に用いられるインタラクション処理方法において、ＲＦＩＤ技術により第４の電子機器からユーザが前記第４の電子機器上の入力装置を通じて行った入力操作である第２の入力操作を受信するステップと、複数の入力操作と制御コマンドが記録されている予め設定された第２の対応関係に基づいて、前記第２の入力操作と対応する第２の制御コマンドを決定するステップと、前記第２の制御コマンドを実行して、前記第３の電子機器を制御するステップとを含むインタラクション処理方法をさらに提供する。
【００１４】
上記インタラクション処理方法において、前記第２の対応関係は、ＲＦＩＤ技術により前記第２の電子機器から受信された対応関係である。
【００１５】
本発明の実施例は、上記目的を実現するために、ＲＦＩＤ伝送を支援する第１の電子機器に用いられるインタラクション処理装置において、ＲＦＩＤ技術により通信相手から処理すべきデータを取得するデータ取得モジュールと、ユーザが入力装置を通じて行った第１の入力操作を取得する入力操作取得モジュールと、複数の入力操作と制御コマンドが対応付けて記録されている予め設定された第１の対応関係に基づいて、前記第１の入力操作と対応する第１の制御コマンドを決定する第１のコマンド決定モジュールと、前記第１の制御コマンドを実行して、前記処理すべきデータを処理するように前記第１の電子機器を制御する第１の実行モジュールとを備えるインタラクション処理装置をさらに提供する。
【００１６】
上記インタラクション処理装置において、前記通信相手は、ＲＦＩＤ伝送を支援する第２の電子機器、またはＲＦＩＤタグである。
【００１７】
上記インタラクション処理装置において、前記通信相手がＲＦＩＤ伝送を支援する第２の電子機器である場合、前記第１の入力操作は、ユーザが前記第１の電子機器上の入力装置を通じて行った入力操作、及び／又は、ＲＦＩＤ技術により前記第２の電子機器から受信された、ユーザが前記第２の電子機器上の入力装置を通じて行った入力操作を含む。
【００１８】
上記インタラクション処理装置において、前記第１の入力操作が、ＲＦＩＤ技術により前記第２の電子機器から受信された、ユーザが前記第２の電子機器上の入力装置を通じて行った入力操作である場合、前記第１の対応関係は、ＲＦＩＤ技術により前記第２の電子機器から受信される対応関係である。
【００１９】
本発明の実施例は、上記目的を実現するために、ＲＦＩＤ伝送を支援し、上述したインタラクション処理装置を備える第１の電子機器をさらに提供する。
【００２０】
本発明の実施例は、上記目的を実現するために、ＲＦＩＤ伝送を支援する第３の電子機器に用いられるインタラクション処理装置において、ＲＦＩＤ技術により第４の電子機器からユーザが前記第４の電子機器上の入力装置を通じて行った入力操作である第２の入力操作を受信する受信モジュールと、複数の入力操作と制御コマンドが記録されている予め設定された第２の対応関係に基づいて、前記第２の入力操作と対応する第２の制御コマンドを決定する第２のコマンド決定モジュールと、前記第２の制御コマンドを実行して、前記第３の電子機器を制御する第２の実行モジュールとを備えるインタラクション処理装置をさらに提供する。
【００２１】
上記インタラクション処理装置において、前記第２の対応関係は、ＲＦＩＤ技術により前記第２の電子機器から受信された対応関係である。
【００２２】
本発明の実施例は、上記目的を実現するために、ＲＦＩＤ伝送を支援し、上述したインタラクション処理装置を備える第３の電子機器をさらに提供する。
【発明の効果】
【００２３】
本発明の実施例は、以下の効果の少なくとも１つを有する。
【００２４】
本発明の実施例において、入力操作と制御コマンドとの対応関係を予め設定することにより、第１の電子機器がＲＦＩＤ技術により通信相手から処理すべきデータを取得すると、ユーザにより入力される入力操作によってそれと対応するコマンドを決定して、このコマンドを実行することで、それと対応して処理すべきデータを処理するように電子機器を制御するため、ＲＦＩＤの適用融通性が向上する。
【００２５】
本発明の実施例において、ユーザにより入力される入力操作を相手側の電子機器により送信することにより、自己側の電子機器は、ユーザにより入力される入力操作によってそれと対応するコマンドを決定して、このコマンドを実行することで電子機器を制御することもできるため、ＲＦＩＤの適用融通性が向上する。
【００２６】
本発明の実施例において、ほかのセンサまたはキーにより情報伝送を行う。センサとキー操作のそれぞれを定義し、ＲＦＩＤインタラクション時にユーザが対応する操作を行い、異なる操作モードにおいてセンサまたはキーにより対応してカスタマイズされた制御情報を伝送することにより、ＲＦＩＤを適用させるサービスまたはサービスの豊かさを広げる。
【００２７】
また、本発明の実施例において、操作は、予め定義されているため、殆どが単なる手まねである。
【００２８】
ＲＦＩＤにカスタマイズ可能な豊富な制御情報が付加されることができるため、ＲＦＩＤに対応するアプリケーションを豊かにすることができる。
【００２９】
本発明の実施例の方法は、ユーザを注目させる多数の操作モードを作成することができるため、社会ネットワークサイト（Ｓｏｃｉａｌ  Ｎｅｔｗｏｒｋ  Ｓｉｔｅ、「ＳＮＳ」と略称する）などのシーンにおける発展に有利であり、スマートフォンの発展の傾向やモノのインターネットの進行方向に適する。
【図面の簡単な説明】
【００３０】
ここで説明する図面は、本発明の実施例をさらに理解するためのものであり、本願の一部を構成し、本発明の例示的な実施例及びその説明は、本発明を解釈するものであるが、本発明の実施例を不当に限定するものではない。図面において、
【図１】図１は、本発明の実施例のインタラクション処理方法のフローチャートを示す概念図である。
【図２】図２は、本発明の実施例の他のインタラクション処理方法のフローチャートを示す概念図である。
【図３】図３は、本発明の実施例のインタラクション処理方法のフローチャートを示す概念図である。
【図４】図４は、本発明の他の実施例のインタラクション処理方法のフローチャートを示す概念図である。
【図５】図５は、本発明の実施例のインタラクション処理装置の構成を示す概念図である。
【図６】図６は、本発明の他の実施例のインタラクション処理装置の構成を示す概念図である。
【発明を実施するための形態】
【００３１】
本発明の実施例のインタラクション処理方法、装置および電子機器において、電子機器はＲＦＩＤ技術に基づくとともに、電子機器の入力装置の補助によりＲＦＩＤ使用時の融通性を向上させる。
【００３２】
本発明の実施例のインタラクション処理方法は、ＲＦＩＤ伝送を支援する第１の電子機器に用いられるものであり、図１に示すように、ＲＦＩＤ技術により通信相手から処理すべきデータを取得するステップ１０１と、ユーザが入力装置を通じて行った第１の入力操作を取得するステップ１０２と、複数の入力操作と制御コマンドが対応付けて記録されている予め設定された第１の対応関係に基づいて、第１の入力操作と対応する第１の制御コマンドを決定するステップ１０３と、この第１の制御コマンドを実行し、処理すべきデータを処理するように第１の電子機器を制御するステップ１０４とを含む。
【００３３】
本発明の実施例のインタラクション処理方法において、入力操作と制御コマンドとの対応関係を予め設定することにより、第１の電子機器がＲＦＩＤ技術により通信相手から処理すべきデータを取得すると、ユーザにより入力される入力操作によってそれと対応するコマンドを決定して、このコマンドを実行することで、それと対応して処理すべきデータを処理するように電子機器を制御する。
【００３４】
本発明の好ましい実施例において、該ＲＦＩＤ技術による通信相手からの処理すべきデータの取得は、ユーザが入力装置を通じて行った第１の入力操作の後に行われることができる。すなわち、該ユーザが入力装置を通じて行った第１の入力操作により、データの伝送がトリガされるとともに、後続の処理が限定されるので、従来の固定モードよりも融通性が顕著に向上する。
【００３５】
本発明の好ましい実施例において、その入力装置は、センサー、または、センサーとキーであってもよい。
【００３６】
本発明の好ましい実施例において、その通信相手は、ＲＦＩＤタグであってもよく、ＲＦＩＤ伝送を支援する第２の電子機器であってもよい。以下、これらのそれぞれについて例を挙げて説明する。
【００３７】
〈通信相手は、ＲＦＩＤタグであってもよい〉
通信相手がＲＦＩＤタグである場合、タグの内容は、仮に電子製品の名称とする。
上述した動作過程は、以下のように説明する。
仮に、ＲＦＩＤタグに製品情報の紹介、製品の公式サイトのアドレス、予約電話番号などが記憶されているとする。
仮に、以下の対応関係が予め定義されているとする。
【表１】
2015535967.tif 000003
【００３８】
ユーザが電子機器を手で持ってＲＦＩＤタグに接近しながら電子機器を右に振ると、電子機器は、変位センサの検出結果により、電子機器が右に移動したことと判断し、ＲＦＩＤ技術により通信相手から該タグの内容（製品情報の紹介、製品の公式サイトのアドレス、予約電話番号など）を取得した後、製品の公式サイトのアドレスを開く旨のコマンドを生成し実行して、ブラウザによる製品の公式サイトへの自動アクセスを実現する。
【００３９】
ユーザが電子機器を手で持ってＲＦＩＤタグに接近しながら電子機器を左に振ると、電子機器は、変位センサの検出結果により、電子機器が左に移動したことと判断し、ＲＦＩＤ技術により通信相手から該タグの内容（製品情報の紹介、製品の公式サイトのアドレス、予約電話番号など）を取得した後、予約電話番号を電話番号リストに保存する旨のコマンドを生成し実行して、予約電話番号の電話番号リストへの自動保存を実現する。
【００４０】
以上の説明から、本発明の実施例の方法によると、ユーザは簡単な入力操作により、データ内容に対するそれぞれの取り扱いや処理を実現することができ、ＲＦＩＤ使用時の融通性を向上させることができる。
【００４１】
以上、モーションセンサを例として説明したが、本発明の実施例は、ある具体的なセンサに限定することなく、例えば３軸重力センサでも実現できる。以下は、これについて簡単に説明する。
【００４２】
従来の電子機器の多く、例えば携帯電話は、機器の方向を検出することができ、例えば、電話の着信があると、携帯電話を、表面が下に向くように反転すれば、着信切りや消音などを実現することができ、これは、３軸重力センサが機器の方向を検出できることによる機能である。よって、本発明の実施例の方法は、３軸重力センサの検出結果を用いて実現することもできる。
【００４３】
ユーザが電子機器を手で持って、電子機器の表面が上に向くことを確保しながらＲＦＩＤタグに接近すると、電子機器は、３軸重力センサの検出結果により、電子機器の表面が上に向くことと判断するため、ＲＦＩＤ技術により通信相手から該タグの内容（製品情報の紹介、製品の公式サイトのアドレス、予約電話番号など）を取得した後、製品の公式サイトのアドレスを開く旨のコマンドを生成し実行して、ブラウザによる製品の公式サイトへの自動アクセスを実現する。
【００４４】
ユーザが電子機器を手で持って、電子機器の表面が下に向くことを確保しながらＲＦＩＤタグに接近すると、電子機器は、３軸重力センサの検出結果により、電子機器の表面が下に向くことと判断するため、ＲＦＩＤ技術により通信相手から該タグの内容（製品情報の紹介、製品の公式サイトのアドレス、予約電話番号など）を取得した後、予約電話番号を電話番号リストに保存する旨のコマンドを生成し実行して、予約電話番号の電話番号リストへの自動保存を実現する。
【００４５】
〈通信相手は、ＲＦＩＤ伝送を支援する第２の電子機器である〉
この場合は、上記の場合との差異は、通信相手のみであり、実質的な相違点はない。ここで、以下の簡単な例のみをもって説明する。
【００４６】
例えば、ユーザＡの電子機器に１つの曲が保存されていてユーザＢに伝送しようとする。
【００４７】
このとき、ユーザＢが電子機器を手で持ってユーザＡの電子機器に接近しながら電子機器を右に振ると、ユーザＢの電子機器は、変位センサの検出結果により、電子機器が右に移動したことと判断し、ＲＦＩＤ技術によりユーザＡの電子機器とインタラクションを行い、この曲を得た後、曲を再生する旨のコマンドを生成し実行して、曲の自動再生を実現する。
【００４８】
このとき、ユーザＢが電子機器を手で持ってユーザＡの電子機器に接近しながら電子機器を左に振ると、ユーザＢの電子機器は、変位センサの検出結果により、電子機器が左に移動したことと判断し、ＲＦＩＤ技術によりユーザＡの電子機器とインタラクションを行い、この曲を得た後、曲を所定位置に保存する旨のコマンドを生成し実行して、曲の所定位置への自動保存を実現する。
【００４９】
上記通信相手は、ＲＦＩＤ伝送を支援する第２の電子機器である場合、その第１の入力操作は、ユーザが第１の電子機器の入力装置を通じて行った入力操作であってもよい。これについては、すでに前で例を挙げて説明した。
【００５０】
また、この第１の入力操作は、ＲＦＩＤ技術により第２の電子機器から受信された、ユーザが第２の電子機器の入力装置を通じて行った入力操作であってもよい。
【００５１】
この場合について、以下に例をあげて説明する。
【００５２】
例えば、ユーザＡの電子機器に１つの曲が保存されていてユーザＢに伝送しようとする。
【００５３】
このとき、ユーザＡが電子機器を手で持ってユーザＢの電子機器に接近しながら電子機器を右に振ると、ユーザＡの電子機器は、ＲＦＩＤ技術により曲の中身とユーザＡの入力操作（右移動）をユーザＢの電子機器に送信してインタラクションを行い、ユーザＢは、該曲の中身とユーザＡの入力操作を受信すると、保存した入力操作とコマンドの対応関係を調べ、ユーザＡの入力操作に基づいて、曲を再生する旨のコマンドを生成し実行して、曲の自動再生を実現する。
【００５４】
この場合に、受信側ではなく、データ元がデータの処理方式を決定することができる。
【００５５】
上述の例において、複数の入力操作と制御コマンドが対応付けて記録されている第１の対応関係は、第１の電子機器側に記憶されている。
【００５６】
ただし、本発明の好ましい実施例において、上記第１の入力操作は、ＲＦＩＤ技術により第２の電子機器から受信された、ユーザが第２の電子機器の入力装置を通じて行った入力操作である場合、上記第１の対応関係は、ＲＦＩＤ技術により第２の電子機器から受信される対応関係である。
【００５７】
この場合に、２つの電子機器の対応関係の設定が同じであると、第１の電子機器は、いずれかの対応関係に基づいて制御コマンドを決定し実行することができる。
【００５８】
一方、２つの電子機器の対応関係の設定が異なると、第１の電子機器は、第１の電子機器により送信された、入力操作と制御コマンドが対応付けて記録されている第１の対応関係に基づいて制御コマンドを決定し実行する。
【００５９】
以上の方式により、融通性がさらに向上する。
【００６０】
上記実施形態において、第１の電子機器は、通信相手から処理すべきデータを取得した後、ユーザの第１の電子機器に対する操作または第２の電子機器に対する操作に応じて処理すべきデータを処理した。
【００６１】
しかし、本発明の実施例の方法は、電子機器の他の制御に用いることもできる。
【００６２】
本発明の他の実施例のインタラクション処理方法は、ＲＦＩＤ伝送を支援する第３の電子機器に用いられるものであり、図２に示すように、ＲＦＩＤ技術により第４の電子機器からユーザが第４の電子機器の入力装置を通じて行った入力操作である第２の入力操作を受信するステップ２０１と、複数の入力操作と制御コマンドが記録されている予め設定された第２の対応関係に基づいて、この第２の入力操作と対応する第２の制御コマンドを決定するステップ２０２と、第２の制御コマンドを実行し、第３の電子機器を制御するステップ２０３とを含む。
【００６３】
本発明の他のインタラクション処理方法において、相手側の電子機器は、ユーザが相手側の電子機器を通じて行った操作を第３の電子機器に送信して第３の電子機器を制御することができるため、ＲＦＩＤの適用融通性が向上する。
【００６４】
当然ながら、本発明の好ましい実施例において、上記第２の対応関係は、第３の電子機器に記憶されている対応関係であってもよく、ＲＦＩＤ技術により第２の電子機器から受信された対応関係であってもよい。
【００６５】
以下、上記例について例を挙げて説明する。
【００６６】
第２の対応関係は、仮に以下の通りとする。
【表２】
2015535967.tif 000004
【００６７】
ユーザＡが電子機器を手で持ってユーザＢの電子機器に接近しながら電子機器を右に振ると、ユーザＡの電子機器は、ＲＦＩＤ技術によりユーザＡの入力操作（右移動）をユーザＢの電子機器に送信し、ユーザＢの電子機器は、該入力操作を受信すると、入力操作とコマンドの第２の対応関係を調べ、ユーザＡの入力操作に基づいて、ユーザＡの電子機器とのＷｉｆｉ接続を構築する。
【００６８】
ユーザＡが電子機器を手で持ってユーザＢの電子機器に接近しながら電子機器を左に振ると、ユーザＡの電子機器は、ＲＦＩＤ技術によりユーザＡの入力操作（左移動）をユーザＢの電子機器に送信し、ユーザＢの電子機器は、該入力操作を受信すると、入力操作とコマンドの第２の対応関係を調べ、ユーザＡの入力操作に基づいて、自分の名刺を取得してＲＦＩＤによりユーザＡの電子機器に送信する。
【００６９】
第２の対応関係が、ＲＦＩＤ技術により第２の電子機器から受信された対応関係である場合は、ユーザＡの電子機器が、入力操作を送信するとともに対応関係も送信し、ユーザＢの電子機器が、受信した対応関係に基づいてコマンドを決定する点のみにおいて相違する。
【００７０】
以下、電子機器が携帯電話である例で、本発明の実施例の方法の幾つかの好ましい適用例について詳細に説明する。
【００７１】
図３に示したように、Ｐ２Ｐモードにおいて本発明の実施例の方法を適用する好ましいフローチャートは、以下のステップを含む。
【００７２】
携帯電話端末Ａは、まず、異なる「角度」が対応する操作モードを設定する必要があり、相対角度モードと絶対角度モードのそれぞれについて具体的な設定を行う必要がある。
また、ユーザは、相対角度モードおよび絶対角度モードの一方を選択することができる。当該配置において、端末が同じデフォルト配置になることができ、配置されたＩＤが、決定されたＣｏｎｆｉｇ＿Ｄｅｆａｕｌｔ（デフォルト配置）であり、デフォルトの配置は、絶対角度モードにおいて、端末Ａが横向きに端末Ｂに近接する場合、端末Ａのルートの「Ｓｈａｒｅ」というフォルダ全体が端末Ｂに共有され、端末Ａが縦向きである場合、端末Ｂが直接に端末Ａとｗｉｆｉ−ｄｉｒｅｃｔ（無線フィデリティ）接続されることを含む。当然ながら、相対角度における具体的な配置をカスタマイズすることもでき、そのカスタマイズされた配置に自分の配置ＩＤＣｏｎｆｉｇが含まれる。
端末Ａは、絶対角度モードを選択すると、ＮＦＣと３軸重力センサを起動する。
端末Ａは、所定の角度で端末ＢとＮＦＣ通信すると、ＮＦＣの接触過程において角度およびその配置情報を端末Ｂに送信する。
端末Ｂは、角度およびその配置情報を受信した後、まず、配置のバージョン情報を判定する。配置ファイルが同じである場合、さらに角度情報に基づいて端末Ａの方向を判断する。端末Ａが横向きであると判断した場合、コマンドを決定して実行し、「Ｓｈａｒｅ」というフォルダを端末Ａに共有させ、端末Ａが縦向きである場合、コマンドを決定して実行し、端末Ａとｗｉｆｉ−ｄｉｒｅｃｔ接続される。
配置ファイルが異なる場合には、端末Ｂは、角度の判定を完了した後、端末Ａにより送信された配置情報に基づいて後続の処理を行う。その処理方式は、以上とまったく同じであるため、重なる説明は省略する。
【００７３】
以上は、絶対角度モードについて説明したが、以下は、相対角度モードについて説明する。
【００７４】
図４に示したように、本発明の実施例の方法の他の好ましいフローチャートは、以下のステップを含む。
【００７５】
携帯電話端末Ａは、まず、異なる「角度」が対応する操作モードを設定する必要があり、相対角度モードと絶対角度モードのそれぞれについて具体的な設定を行う必要がある。
また、ユーザは、相対角度モードおよび絶対角度モードの一方を選択することができる。当該配置において、端末が同じデフォルト配置になることができ、配置されたＩＤが、決定されたＣｏｎｆｉｇ＿Ｄｅｆａｕｌｔ（デフォルト配置）であり、デフォルトの配置は、絶対角度モードにおいて、端末Ａが横向きに端末Ｂに近接する場合、端末Ａのルートの「Ｓｈａｒｅ」というフォルダ全体が端末Ｂに共有され、端末Ａが縦向きである場合、端末Ｂが直接に端末Ａとｗｉｆｉ−ｄｉｒｅｃｔ接続されることを含む。当然ながら、相対角度における具体的な配置をカスタマイズすることもでき、そのカスタマイズされた配置に自分の配置ＩＤＣｏｎｆｉｇが含まれる。
端末Ａは、相対角度モードを選択すると、ＮＦＣと３軸重力センサを起動する。
端末Ａは、所定の角度で端末ＢとＮＦＣ通信すると、ＮＦＣの接触過程において角度およびその配置情報を端末Ｂに送信する。
端末Ｂは、角度およびその配置情報を受信した後、まず、配置のバージョン情報を判定する。配置ファイルが同じである場合、さらに端末Ａにより送信された角度情報と自分の角度情報とに基づいて端末ＡとＢの相対方向を判断する。端末Ａが端末Ｂに対して重なり合うと判断したとき、コマンドを決定して実行し、「Ｓｈａｒｅ」というフォルダを端末Ａに共有させ、端末Ａが端末Ｂに対して交差するとき、コマンドを決定して実行し、端末Ａとｗｉｆｉ−ｄｉｒｅｃｔ接続される。
配置ファイルが異なる場合には、端末Ｂは、角度の判定が完了した後、端末Ａにより送信された配置情報に基づいて後続の処理を完了する。その処理方式は、以上とまったく同じであるため、重なる説明は省略する。
【００７６】
当然ながら、具体的な配置情報は、互いに異なることは言うまでもないので、ここでいちいち例を挙げて説明することはしない。
【００７７】
なお、本発明の好ましい実施例において、ＲＦＩＤに基づく通信のとき、送信されるデータは、ＲＦＩＤに対応するプロトコルに応じたパケット処理を行われることは理解できるが、これは、従来技術の範囲内にあるので、ここで詳細な説明は省略する。
【００７８】
本発明の実施例は、ＲＦＩＤ伝送を支援する第１の電子機器に用いられるインタラクション処理装置をさらに提供し、このインタラクション処理装置は、図５に示すように、ＲＦＩＤ技術により通信相手から処理すべきデータを取得するデータ取得モジュール５０１と、ユーザが入力装置を通じて行った第１の入力操作を取得する入力操作取得モジュール５０４と、複数の入力操作と制御コマンドが対応付けて記録されている予め設定された第１の対応関係に基づいて、第１の入力操作と対応する第１の制御コマンドを決定する第１のコマンド決定モジュール５０３と、第１の制御コマンドを実行し、処理すべきデータを処理するように第１の電子機器を制御する第１の実行モジュール５０２とを備える。
【００７９】
上記対話処理装置において、その通信相手は、ＲＦＩＤ伝送を支援する第２の電子機器、またはＲＦＩＤタグである。
【００８０】
上記インタラクション処理装置において、その通信相手が、ＲＦＩＤ伝送を支援する第２の電子機器である場合、上記第１の入力操作は、ユーザが第１の電子機器の入力装置を通じて行った入力操作、及び／又は、ＲＦＩＤ技術により第２の電子機器から受信された、ユーザが第２の電子機器の入力装置を通じて行った入力操作を含む。
【００８１】
上記インタラクション処理装置において、その第１の入力操作が、ＲＦＩＤ技術により第２の電子機器から受信された、ユーザが第２の電子機器の入力装置を通じて行った入力操作である場合、上記第１の対応関係は、ＲＦＩＤ技術により第２の電子機器から受信される対応関係である。
【００８２】
本発明の実施例は、ＲＦＩＤ伝送を支援する第３の電子機器に用いられるインタラクション処理装置をさらに提供し、このインタラクション処理装置は、図６に示すように、ＲＦＩＤ技術により第４の電子機器からユーザが第４の電子機器の入力装置を通じて行った入力操作である第２の入力操作を受信する受信モジュール６０１と、複数の入力操作と制御コマンドが記録されている予め設定された第２の対応関係に基づいて、この第２の入力操作と対応する第２の制御コマンドを決定する第２のコマンド決定モジュール６０２と、第２の制御コマンドを実行し、第３の電子機器を制御する第２の実行モジュール６０３とを備える。
【００８３】
上記第２の対応関係は、ＲＦＩＤ技術により第２の電子機器から受信された対応関係である。
【００８４】
本発明の実施例は、ＲＦＩＤ伝送を支援し、上述したインタラクション処理装置を備える第３の電子機器をさらに提供する。
【００８５】
以上は、本発明の実施形態に過ぎないが、当業者であれば、本発明の思想を逸脱しない範囲で様々な変更や変形を行うことが可能であり、こうした変更や変形も本発明の保護範囲に含まれる。
【図１】
2015535967.tif 000005
【図２】
2015535967.tif 000006
【図３】
2015535967.tif 000007
【図４】
2015535967.tif 000008
【図５】
2015535967.tif 000009
【図６】
2015535967.tif 000010
【国際調査報告】
2015535967.tif 000011
2015535967.tif 000012
2015535967.tif 000013
2015535967.tif 000014
2015535967.tif 000015
2015535967.tif 000016